【誤訳訂正書】
【提出日】平成26年8月12日(2014.8.12)
【誤訳訂正１】
【訂正対象書類名】明細書
【訂正対象項目名】００２９
【訂正方法】変更
【訂正の内容】
【００２９】
図３Ａには、立体視フラットパネルディスプレイシステムのアドレス指定サイクル３００の一例が概略的に示されている。この実施形態例では、バックライト３０２は、空間的に制御され、ＰＣＰ３０６はセグメント化されており、これらは、ＬＣ変調パネル３０４の更新と同期して、スクロールする態様で動作してもよい。バックライト３０２、ＬＣ変調パネル３０４及びＰＣＰ３０６が、別個の層として示されており、連続したアドレス指定サイクルの４つの異なる時間におけるシステムを、４つの簡略化した図（ａ、ｂ、ｃ及びｄ）で表している。１つのサイクルで、１つの左目画像及び１つの右目画像が表示される。図には、ＬＣ変調パネル３０４が、最上部から最下部までライン毎にアドレス指定される１アドレスサイクルが示されている。ＬＣ変調パネル３０４上で、アドレスされるラインが上から下に進むに従って、液晶が整定する領域がそれに続き、連続的なスクロールのような態様で現れる。切り替えＬＣ変調パネル３０４によって表示される整定状態及び非整定状態が混合しているデータ領域３５９の物理的なサイズは、液晶材料が整定するのに掛かるスピード及びフレームのアドレス指定レートによって決定される。上記で述べたように、黒色への切り替えに掛かる期間が重要であり、黒色からグレイ及びグレイからグレイへの遷移は、Ｃｈｉｕ他に記載されるように適応させてもよい。商用の高速ツイストネマチックパネルの場合、白から黒への整定時間（settling time）は、およそ２ミリ秒であり、図３Ａに示すＬＣ切り替えバンドの物理的な幅を考えると、１２０Ｈｚフレーム更新が現実てきである。
【誤訳訂正２】
【訂正対象書類名】明細書
【訂正対象項目名】００３０
【訂正方法】変更
【訂正の内容】
【００３０】
システムの一例は、スクロールセグメント化されたＰＣＰ３０６及び空間的制御されるバックライト３０２の両方を含み、図３Ａには、空間的に分離された異なる部分として示されている。ＰＣＰ３０６のセグメント及びバックライト３０２の空間的に制御される部分は、システムの性能及びタイミングに影響する可能性があるが、セグメント及び制御される部分が、整定していないＬＣ３５９の幅に比べて十分小さい場合には、連続的なデバイスとほぼ同様に動作する。
【誤訳訂正３】
【訂正対象書類名】明細書
【訂正対象項目名】００３１
【訂正方法】変更
【訂正の内容】
【００３１】
ある実施形態例では、フラットパネルディスプレイは、選択的に光を提供可能な複数の照明部分を有する空間的制御可能バックライト３０２、複数の変調領域を有するＬＣ変調パネル３０４及びＰＣＰ３０６を備えてもよい。空間的制御可能バックライト３０２は、選択的に光を提供可能な複数の照明部分を有してもよい。ＰＣＰ３０６は、複数の変調領域と関連付けられた複数の偏光制御セグメントを有してもよく、偏光制御セグメントは、変調領域から入射される変調光の偏光状態（ＳＯＰ）を選択的に変換してもよい。また、選択された変調領域は、左目画像データでアドレス指定されてもよく、偏光制御命令が、選択された変調領域と関連付けられた偏光制御セグメントに提供されてもよく、それにより、選択された変調領域における複数のデータ線の一部が、左目画像フレームの所定の部分を表示する左目偏光表示モードで動作する。また、選択された変調領域が、左目偏光制御命令に対応する画像データを表示する整定した変調領域を含む場合、１以上の選択された照明部分から、選択された変調領域へと光が提供されてもよい。
【誤訳訂正４】
【訂正対象書類名】明細書
【訂正対象項目名】００３２
【訂正方法】変更
【訂正の内容】
【００３２】
上記の実施形態は、様々な変形例が考えられる。例えば、ある実施形態では、ＰＣＰは、パイ（π）セルであってもよい。ある実施形態では、選択された変調領域における複数のデータ線の部分は、選択された変調領域における複数のデータ線のほぼ半分を含んでもよい。ある実施形態では、選択された変調領域の第１データ線をアドレス指定した後に、偏光制御命令が提供されてもよい。ある実施形態では、偏光制御セグメントは、左目偏光表示モードで動作するように切り替えられてもよく、偏光制御セグメントが右目偏光表示モードへと切り替わるまで（右目偏光表示モードにおける切り替えの場合、左目偏光表示モードに切り替わるまで）、偏光制御セグメントに対する偏光ＳＯＰ変換は維持される。ある実施形態では、左目画像フレーム全体又は右目画像フレーム全体が、１／１２０秒内にアドレス指定される。ある実施形態では、選択された変調領域の中間のデータ線に対するＬＣ変調パネルの整定時間、及び、関連付けられた偏光制御セグメントに対するＰＣＰの第２整定時間は、左目及び右目アナライザを介して立体視画像を見た時に、左目及び右目クロストークが無視できる程度になるように最適化されてもよい。ある実施形態では、偏光制御セグメントの各々は、出力偏光方向に対して４５度に配置されたゼロツイストＬＣのゼロから半波長位相差変調器、及び、ゼロツイストＬＣ変調器の向きに対して４５度の角度で配置された４分の１波長位相差板を含んでもよい。ある実施形態では、左目偏光制御命令は、ゼロツイストＬＣ変調器に、ＬＣ変調パネルによって変調された光を２分の１波長遅らせてもよく、右目偏光制御命令は、ゼロツイストＬＣ変調器に、ＬＣ変調パネルによって変調された光を遅らせないようにしてもよい。ある実施形態では、右目偏光制御命令は、ゼロツイストＬＣ変調器に、ＬＣ変調パネルによって変調された光を２分の１波長遅らせてもよく、左目偏光制御命令は、ゼロツイストＬＣ変調器に、ＬＣ変調パネルによって変調された光を遅らせないように命令してもよい。ある実施形態では、隣接するセグメント化された変調制御セグメントは、順次、ＰＣＰ上でスクロールされてもよい。ある実施形態では、ＰＣＰは、偏光制御命令に従って、直交する偏光状態間で切り替えられた入射光を出力可能な偏光スイッチの複数のストリップ（帯）を含んでもよい。
【誤訳訂正５】
【訂正対象書類名】明細書
【訂正対象項目名】００３４
【訂正方法】変更
【訂正の内容】
【００３４】
図３Ｂのタイミング図の各ラインは、設定期間３５９の直後のアドレス指定３５４される瞬間を示している。そして、ラインが再びアドレス指定される３５４前に、画像データが正しく表示される期間（例えば、３５７及び３５５）が存在する。整定３５９した後且つ次のアドレス指定の瞬間３５４の前に、局所照明３５２がおこなわれる。ラインのシフトは、システムのスクロール性質を表している。１つの任意の領域において、時間の約２５％は照明が行われない（すなわち、約７５％の照明デューティサイクルである）。２５％の非照明デューティサイクルの間、ＰＣＰは局所的に切り替わる３５６。
【誤訳訂正６】
【訂正対象書類名】明細書
【訂正対象項目名】００３７
【訂正方法】変更
【訂正の内容】
【００３７】
図３Ａ及び図３Ｂに示す実施形態では、フラットパネルディスプレイに立体視画像を表示する方法は、ＬＣ変調パネル３０４における選択された変調領域における複数のデータ線を、左目画像データでアドレス指定する段階を備える。方法は更に、選択された変調領域における複数のデータ線の一部が、左目画像フレームの所定の部分を表示する場合、左目偏光表示モードで動作させるべく、選択された変調領域と関連付けられた偏光制御セグメントに偏光制御命令を供給する段階を備える。方法は更に、選択された変調領域が、左目偏光制御命令に対応する画像データを表示する整定変調領域を含み、１以上の選択された照明領域から選択された変調領域へと光を提供する段階を備えてもよい。逆もまた同様に、右目偏光制御命令に対応する右目画像データを表示させるべく同様な方法が適用されてもよい。
【誤訳訂正７】
【訂正対象書類名】明細書
【訂正対象項目名】００３８
【訂正方法】変更
【訂正の内容】
【００３８】
［更新された帰線消去時間を有する立体視フラットパネルディスプレイ］
図４Ａには、立体視フラットパネルディスプレイシステムの実施形態のアドレス指定サイクル４００が概略的に示されている。立体視フロントパネルディスプレイシステムは、バックライト４０２、ＬＣ変調パネル４０４及びＰＣＰ４０６を含む。一実施形態において、ＬＣディスプレイ４０４は、標準的な、ノーマリーホワイトＬＣディスプレイである。立体視フロントパネルディスプレイシステムは、バックライト４０２の照明が行われない期間において左目画像データ又は右目画像データの何れかでＬＣディスプレイ４０４をアドレス指定することによって動作する。ＬＣディスプレイ４０４のデータ線の大半が、左目画像又は右目画像に整定した後で、バックライト４０２による照明が行われる。バックライト４０２は、次のフレームのアドレス指定が開始するまで、点灯される。一実施形態において、バックライト４０２が点灯しない間は、ＰＣＰ４０６は、左目偏光モード及び右目偏光モード間の切り替えを行う。
【誤訳訂正８】
【訂正対象書類名】明細書
【訂正対象項目名】００４５
【訂正方法】変更
【訂正の内容】
【００４５】
ある実施形態において、ＬＣ変調パネル４０４は、連続的にアドレス指定され、ライン毎に順次、左目画像データと右目画像データがほぼ連続して切り替わる。この実施形態では、右目画像モードとは、ＬＣ変調パネル４０４が右目画像コンテンツを表示する整定したデータ線を過半数有する場合（例えば、５０％以上）であり、左目画像モードとは、変調パネル４０４が左目画像コンテンツを表示する整定したデータ線を過半数有する場合（例えば、５０％以上）であってもよい。したがって、様々な代替の実施形態において、右目画像モードは、設計パラメータ及び所望のクロストーク許容範囲に応じて、例えば、６０％、７０％、８０％、９０％又は９９％の右目画像データを表示するＬＣ変調パネル４０４を含んでもよい。
【誤訳訂正９】
【訂正対象書類名】明細書
【訂正対象項目名】００４６
【訂正方法】変更
【訂正の内容】
【００４６】
遷移状態において、ＬＣ変調パネル４０４が左目画像モードと右目画像モードとの間の切り替えを行う時、及び、ＰＣＰ４０６が左目偏光モードと右目偏光モードとの間で遷移している時は、バックライトはＬＣ変調パネル４０４に光を提供しない。上記したように、画像モード及び偏光モードは、表示状態における設計パラメータ及びクロストークパラメータに応じた、許容される実施形態の範囲を構成することから、左目偏光モードと右目偏光モードとの間の遷移、及び、左目画像モードと右目画像モードとの切り替えは、遷移状態における遷移期間の範囲を構成する。例えば、ＬＣ変調パネル４０４の右目画像モード及び左目画像モードが、表示状態において、それぞれ整定された９０％以上の右目画像データ及び９０％以上の左目画像データという設計パラメータを有する場合、ＬＣ変調パネル４０４が９０％以上の右目画像データ及び９０％以上の左目画像データの状態ではない期間が、遷移状態となる。
【誤訳訂正１０】
【訂正対象書類名】明細書
【訂正対象項目名】００４９
【訂正方法】変更
【訂正の内容】
【００４９】
図４Ｂは、図４Ａに示したシステムのタイミングシーケンス４５０を例示した概略的なタイミング図である。遷移状態４６０は、バックライトが光を提供しない間に、ＬＣディスプレイがアドレス指定され４５４、ＰＣＰが遷移４５６する遷移状態の一例を示している。ＬＣディスプレイは、遷移期間４６０において、左目画像データ４５５と右目画像データ４５７とを切り替える。この実施形態例では、バックライトが点灯される４５２前に、全てのラインのデータ４５８は、１つのビュー（例えば、右目画像データ４５７）と関連付けられた画像データで整定４５９される。
【誤訳訂正１１】
【訂正対象書類名】明細書
【訂正対象項目名】００５０
【訂正方法】変更
【訂正の内容】
【００５０】
しかしながら、上記したように、表示モードでは、整定したラインの許容範囲は、望ましくないクロストーク効果を実質的に最小化するのに十分な数のラインが含まれていてもよい。したがって、例示した図は、一例に過ぎない。実際には、ＬＣ変調パネルは、連続的にアドレス指定され、ライン毎にアドレス指定される態様で、順次、左目画像データと右目画像データがほぼ連続して切り替わる。したがって、ＬＣ変調パネルが、右目ビュー又は左目ビューのどちらかと関連付けられた画像コンテンツを表示する整定したデータ線のうちの大部分（例えば、５０％以上）を有する場合には、システムは表示状態４７０にあるとしてもよく、バックライトを点灯４５２させてもよい。
【誤訳訂正１２】
【訂正対象書類名】明細書
【訂正対象項目名】００５１
【訂正方法】変更
【訂正の内容】
【００５１】
一実施形態では、ＬＣ整定時間が２ミリ秒であって、フレームアドレス指定時間が４ミリ秒（２４０Ｈｚ）であるとすると、表示状態４７０は、２５％のデューティサイクルであってもよい。この実施形態において、照明４５２も、２５％のデューティサイクルであってもよい。ＬＥＤの出力は、多くの場合、熱的に固定された平均出力に限定され、デユーティサイクル及び出力ピークに大きく依存しないことから、このような形態は、特にＬＥＤのような照明の場合に適している。ＰＣＰの切り替え周期は、約６ミリ秒の非照明周期と同じであってもよく、これにより、立体視フラットパネルディスプレイモード及び材料に対する幾つかのオプションを提供できる。ある実施形態では、遷移状態４６０は、７５％のデューティサイクルである。
【誤訳訂正１３】
【訂正対象書類名】明細書
【訂正対象項目名】００５２
【訂正方法】変更
【訂正の内容】
【００５２】
ある実施形態では、遷移状態は、ＬＣ変調パネルアドレス指定期間及びＰＣＰ整定期間と関連付けられた整定期間以上の時間の長さを有す。
【誤訳訂正１４】
【訂正対象書類名】明細書
【訂正対象項目名】００６３
【訂正方法】変更
【訂正の内容】
【００６３】
一実施形態において、ＬＣ変調パネル５０４は、連続的にアドレス指定され、ライン毎にアドレス指定される態様で、順次、左目又は右目画像データと実質的に黒い画像データとがほぼ連続して切り替わる。この実施形態では、右目画像モードは、ＬＣ変調パネル５０４が右目画像コンテンツを表示する整定したデータ線を過半数有する場合（例えば、５０％以上）であり、左目画像モードは、変調パネル５０４が左目画像コンテンツを表示する整定したデータ線を過半数有する場合（例えば、５０％以上）であってもよい。したがって、右目画像モードは、設計パラメータ及び所望のクロストーク許容範囲に応じて、例えば、６０％、７０％、８０％、９０％又は９９％の右目画像データを表示するＬＣ変調パネル５０４を含んでもよい。
【誤訳訂正１５】
【訂正対象書類名】明細書
【訂正対象項目名】００６４
【訂正方法】変更
【訂正の内容】
【００６４】
ＰＣＰ遷移状態では、ＰＣＰ変調パネル５０６が、左目偏光モードと右目偏光モードとの間で切り替わる時、ＬＣ変調パネル５０４は、実質的に黒い画像コンテンツを表示する。上記したように、画像モード及び偏光モードは、全視状態における設計パラメータ及びクロストークパラメータに応じた、許容される実施形態の範囲を構成することから、第１ＬＣ遷移状態及び第２ＬＣ遷移状態、及び、左目画像モードと右目画像モードとの間の遷移は、遷移期間の範囲を構成する。例えば、ＬＣ変調パネル５０４の右目画像モード及び左目画像モードが、全視状態では、それぞれ整定された９０％以上の右目画像データ及び９０％以上の左目画像データという設計パラメータを有する場合、その他の状態は、ＬＣ変調パネル５０４が９０％以上の右目画像データ及び９０％以上の左目画像データの状態ではない期間を構成する。
【誤訳訂正１６】
【訂正対象書類名】明細書
【訂正対象項目名】００６９
【訂正方法】変更
【訂正の内容】
【００６９】
図５Ｂには、図５Ａに示したシステムのタイミングシーケンス５５０を例示した概略的なタイミング図が示されている。この実施形態では、黒フレーム５５３であるか左目画像５５５又は右目画像５５７に関連付けられた画像コンテンツであるかに関わらず、各フレームは０．８ミリ秒（例えば、１．２ＫＨｚ）でアドレス指定５５４される。バックライトは、連続して点灯５５２される。フレーム各々対する整定時間は、５５９で示されている。ＰＣＰは、実質的に黒フレーム５５３の間に遷移５５６する。
【誤訳訂正１７】
【訂正対象書類名】明細書
【訂正対象項目名】００７０
【訂正方法】変更
【訂正の内容】
【００７０】
図５Ｃは、図５Ａに示されたシステムの別のタイミングシーケンス５８０を例示した概略図である。この実施形態では、左目データフレーム５８５、右目データフレーム５８７及び次の黒フレーム５８３は、実質的に中断することなくアドレス指定５８４される。黒フレーム５８３がアドレス指定された後、中断期間を利用して、ディスプレイは黒画像５８３に整定５８９し、ＰＣＰを切り替える５８６ことを可能にする。これにより、１．４ミリ秒（すなわち、７００Ｈｚ）というよりアクセスし易いフレームアドレス周期が可能となるが、輝度を幾分か犠牲にする。図５Ｂに示されたタイミング図によれば、約３８％の輝度効率を生み出し、図５Ｃに示したタイミング図によれば、約２９％という低い輝度となる。
【誤訳訂正１８】
【訂正対象書類名】明細書
【訂正対象項目名】００７４
【訂正方法】変更
【訂正の内容】
【００７４】
動作時には、立体画像は、立体視フラットパネルディスプレイに表示される。ＰＣＰ６０６は、左目偏光制御信号又は右目偏光制御信号で制御される。左目偏光制御信号により、左目偏光モードでＰＣＰ６０６を動作させることが可能となり、右目偏光制御信号により、右目偏光モードでＰＣＰ６０６を動作させることが可能となる。選択されたバックライト照明部分は、選択されたＬＣ変調領域に光を提供する。選択されたＬＣ変調領域は、クロストークが実質的に最小化されるように、左目画像モード又は右目画像モードにおいて十分に整定する変調領域を含んでもよい。ＬＣ変調領域画像モードは、左目偏光制御信号及び右目偏光制御信号のどちらかに対応する。したがって、ＰＣＰ６０６が左目偏光モードで動作する（例えば、左目偏光制御信号で制御される）場合、バックライト６０２は、左目画像データを現在表示しているＬＣ変調領域の一部分に、選択されたバックライト照明部分を介して光を提供する。右目偏光モードでＰＣＰ６０６が動作する（例えば、右目偏光制御信号で制御される）場合、バックライト６０２は、右目画像データを現在表示しているＬＣ変調領域の一部分に、選択されたバックライト照明部分を介して光を提供する。
【誤訳訂正１９】
【訂正対象書類名】明細書
【訂正対象項目名】００７８
【訂正方法】変更
【訂正の内容】
【００７８】
ある実施形態では、偏光制御信号の切り替えは、ＬＣ変調領域が整定した後に行われる。その他の実施形態では、切り替えは、ＬＣ変調パネル６０４の下部ＬＣ変調領域のデータ線の後半のデータ線が整定する間に行われてもよい。
【誤訳訂正２０】
【訂正対象書類名】明細書
【訂正対象項目名】００７９
【訂正方法】変更
【訂正の内容】
【００７９】
隣接するバックライト照明部分は、対応するＬＣ変調領域がアドレス指定された後に、順次消灯されてもよい。一実施形態において、バックライト照明部分の各々は、ＬＣ変調領域が整定した後で点灯されてもよい。
【誤訳訂正２１】
【訂正対象書類名】明細書
【訂正対象項目名】００８０
【訂正方法】変更
【訂正の内容】
【００８０】
図６Ｂは、図６Ａに示したシステムのタイミングシーケンス６５０を例示した概略的タイミング図である。ある実施形態では、ＬＣパネルアドレス指定６５４は、１２０Ｈｚフレームレートで、ライン毎に連続的にスクロールされるＬＣパネルであると仮定される。フレームが上部から書き込まれると同時に、フレームの下部に依然として存在する整定した１つ前のフレームのデータ部分が照明される。例えば、第１のラインにおいて、右目データが６５９から６５７で書き込まれると同時に、最後のライン６５５の整定した左目データが照明６５２される。アドレス指定が進むと、バックライトは、パネル下部をスクロールオフして、ディスプレイは黒になる。この時、ＰＣＰが切り替え６５６られる。ＰＣＰが新しい状態になると、ディスプレイ上部の整定したＬＣの照明が開始される。ここで、典型的なＰＣＰ切り替え時間（例えば、パイセルを使用した場合、約１．５ミリ秒）及び典型的なＬＣ整定時間（例えば、白から黒で２ミリ秒）であると仮定すると、このシステムでは約３３％の照明デューティサイクルが使用される。
【誤訳訂正２２】
【訂正対象書類名】明細書
【訂正対象項目名】００８３
【訂正方法】変更
【訂正の内容】
【００８３】
例えば、左目偏光制御命令がＰＣＰ７０６ａの大部分を制御し、ＬＣ変調要素７０４ａの大部分に左目画像データが満たされ、右目偏光制御命令がＰＣＰ７０６ｃの大部分を制御し、ＬＣ変調要素７０４ｃの大部分に右目画像データが満たされる。また、一例として、左目偏光制御命令又は右目偏光制御命令は、ＰＣＰ７０６ｂ、７０４ｄの上部又は下部を制御し、ＬＣ変調要素７０４ｂ、７０４ｄの上部又は下部に左目画像データ又は右目画像データが満たされる。ＰＣＰ遷移時間７５６は同様に、ＬＣ変調要素整定時間７５９を追跡する。
【誤訳訂正２３】
【訂正対象書類名】明細書
【訂正対象項目名】００８７
【訂正方法】変更
【訂正の内容】
【００８７】
図７Ａ及び図７Ｂを参照して説明した実施形態では、バックライトが連続的にＬＣパネル７０４を照明していたため、１００％の輝度となり、実質的に照明のオーバーヘッドは存在しない。また、ＬＣパネル７０４のアドレス指定は連続的であり、１２０Ｈｚフレームレートで実装されてもよい。しかしながら、ディスプレイが常時可視的であるため、ＰＣＰ遷移時間７５６及びＬＣ整定時間７５９を隠すことができず、右目画像と左目画像間で有限のクロストークにつながる可能性がある。切り替え／整定期間７５６、７５９を同期させることにより、左目から右目へのリーク（又は、右目から左目へのリーク）を最小限にすることができると考えられる。点検的な切り替え（スイッチング）期間を使用して計算すると、クロストークについて約２％という下限が存在する。いかなるクロストークも概して望ましくないが、実際の試験では、このレベルのクロストークは許容されることが示されている。高速のＬＣ変調パネル及びＰＣＰを使用することにより、１％未満のクロストークを達成できる可能性がある。
【誤訳訂正２４】
【訂正対象書類名】明細書
【訂正対象項目名】００９０
【訂正方法】変更
【訂正の内容】
【００９０】
ある実施形態では、ＰＣＰ７５６セグメントを切り替えるのに最適な時間は、変調領域内で中心に位置するＬＣＤラインが、少なくとも部分的に整定７５９する時である。別の実施形態では、ＰＣＰ７５６を切り替えるのに最適な時間は、変調領域内の中心に位置するＬＣＤラインが、約半分の右目画像データ及び約半分の左目画像データの所定の部分を表示する時である。別の実施形態において、変調領域における複数のラインの所定の部分は、左／右の比が、４０／６０％から６０／４０％範囲であってもよい。
【誤訳訂正２５】
【訂正対象書類名】明細書
【訂正対象項目名】００９３
【訂正方法】変更
【訂正の内容】
【００９３】
ある実施形態では、変調領域の中間のデータ線に対するＬＣ７０４の整定時間７５９、及び、関連付けられた変調制御セグメントに対するＰＣＰ７０６の切り替え時間７５６は、左目及び右目アナライザを介して立体画像を見た場合に、左目と右目との間のクロストークが無視できる程度に最適化されてもよい。
【誤訳訂正２６】
【訂正対象書類名】特許請求の範囲
【訂正対象項目名】全文
【訂正方法】変更
【訂正の内容】
【特許請求の範囲】
【請求項１】
立体視画像を表示するフラットパネルディスプレイであって、
選択的に光を供給するバックライトと、
前記バックライトから入射される光を受光する位置に配置され、前記バックライトから入射される前記光を変調する液晶（ＬＣ）変調パネルと、
前記ＬＣ変調パネルから入射される前記変調された光を受光する位置に配置され、前記バックライト及び前記ＬＣ変調パネルと同期して、前記ＬＣ変調パネルから入射する前記変調された光の偏光状態（ＳＯＰ）を選択的に変換する偏光制御パネル（ＰＣＰ）とを備え、
前記フラットパネルディスプレイは、少なくとも２つの動作状態で動作するように構成され、
前記２つの動作状態は、
前記バックライトが前記ＬＣ変調パネルに光を提供し、前記ＰＣＰが、右目偏光モード及び左目偏光モードのうちの１つで動作し、前記ＰＣＰが前記左目偏光モードで動作する場合には、前記ＬＣ変調パネルは左目画像モードで動作し、前記ＰＣＰが前記右目偏光モードで動作する場合には、前記ＬＣ変調パネルは右目画像モードで動作する表示状態と、
前記ＬＣ変調パネルが前記左目画像モードと前記右目画像モードとの間で切り替わる時、及び、前記ＰＣＰが前記左目偏光モードと前記右目偏光モードとの間で切り替わる時に、前記バックライトは前記ＬＣ変調パネルに光を提供しない遷移状態とを含み、
前記ＬＣ変調パネルが右目画像データを表示する整定したデータ線を過半数有する場合には前記右目画像モードとなり、前記ＬＣ変調パネルが左目画像データを表示する整定したデータ線を過半数有する場合には前記左目画像モードとなるフラットパネルディスプレイ。
【請求項２】
前記表示状態において、前記ＰＣＰは、前記右目偏光モードで動作し、前記ＬＣ変調パネルは、前記右目画像モードで動作し、
前記遷移状態においては、前記ＰＣＰは、前記右目偏光モードから前記左目偏光モードへと遷移し、前記ＬＣ変調パネルは、前記右目画像モードから前記左目画像モードへと切り替わる請求項１に記載のフラットパネルディスプレイ。
【請求項３】
前記表示状態において、前記ＰＣＰは、前記左目偏光モードで動作し、前記ＬＣ変調パネルは、前記左目画像モードで動作し、
前記遷移状態において、前記ＰＣＰは、前記左目偏光モードから前記右目偏光モードへと遷移し、前記ＬＣ変調パネルは、前記左目画像モードから前記右目画像モードへと切り替わる請求項１に記載のフラットパネルディスプレイ。
【請求項４】
前記右目偏光モードは、右目アナライザが解析可能なように円偏光された光へと、前記光を変換することを含む請求項１に記載のフラットパネルディスプレイ。
【請求項５】
前記右目偏光モードは、右目アナライザが解析可能なように直線偏光された光へと、前記光を変換することを含む請求項１に記載のフラットパネルディスプレイ。
【請求項６】
前記バックライトは、グローバルに変調されるバックライトユニットである請求項１に記載のフラットパネルディスプレイ。
【請求項７】
前記ＰＣＰは、グローバルにアドレス指定されるＰＣＰである請求項１に記載のフラットパネルディスプレイ。
【請求項８】
前記遷移状態は、ＬＣ変調パネルアドレス指定期間及びＰＣＰ整定期間のうちの少なくとも１つと関連付けられた整定時間以上の長さの期間を有する請求項１に記載のフラットパネルディスプレイ。
【請求項９】
前記表示状態は、２５％のデューティサイクルを有する請求項１に記載のフラットパネルディスプレイ。
【請求項１０】
前記遷移状態は、７５％のデューティサイクルを有する請求項１に記載のフラットパネルディスプレイ。
【請求項１１】
前記ＰＣＰが前記右目偏光モードで動作する場合、前記ＬＣ変調パネルから入射される前記変調された光の前記ＳＯＰは、前記ＰＣＰから出射される変調及び変換後の光が左目アナライザによってブロックされるように、変換される請求項１に記載のフラットパネルディスプレイ。
【請求項１２】
バックライト、液晶（ＬＣ）変調パネル及び偏光制御パネル（ＰＣＰ）を有するフラットパネルディスプレイに立体視画像を表示する方法であって、
表示状態において立体視画像を表示する段階と、
遷移状態において左目ビューと右目ビューとの間で遷移させる段階とを備え、
前記表示する段階は、
前記バックライトから前記ＬＣ変調パネルへと光を提供する段階と、
右目偏光モード及び左目偏光モードのうちの１つで前記ＰＣＰを動作させる段階とを有し、
前記ＰＣＰが前記左目偏光モードで動作する場合には、前記ＬＣ変調パネルは左目画像モードで動作し、前記ＰＣＰが前記右目偏光モードで動作する場合には、前記ＬＣ変調パネルは右目画像モードで動作し、
前記遷移させる段階は、
前記ＬＣ変調パネルが前記左目画像モードと前記右目画像モードとの間で切り替わる時、及び、前記ＰＣＰが前記左目偏光モードと前記右目偏光モードとの間で遷移する時には、前記バックライトから前記ＬＣ変調パネルに光を提供しない段階を有し、
前記ＬＣ変調パネルが右目画像データを表示する整定したデータ線を過半数有する場合には前記右目画像モードとなり、前記ＬＣ変調パネルが左目画像データを表示する整定したデータ線を過半数有する場合には前記左目画像モードとなる方法。
【請求項１３】
前記表示状態においては、前記ＰＣＰは、前記右目偏光モードで動作し、前記ＬＣ変調パネルは、前記右目画像モードで動作し、
前記遷移状態においては、前記ＰＣＰは、前記右目偏光モードから前記左目偏光モードへと遷移し、前記ＬＣ変調パネルは、前記右目画像モードから前記左目画像モードへと切り替わる請求項１２に記載の方法。
【請求項１４】
前記表示状態においては、前記ＰＣＰは、前記左目偏光モードで動作し、前記ＬＣ変調パネルは、前記左目画像モードで動作し、
前記遷移状態においては、前記ＰＣＰは、前記左目偏光モードから前記右目偏光モードへと遷移し、前記ＬＣ変調パネルは、前記左目画像モードから前記右目画像モードへと切り替わる請求項１２に記載の方法。
【請求項１５】
前記ＰＣＰを前記右目偏光モードで動作させる段階は、右目アナライザによって解析可能な円偏光された光へと、前記光を変換する段階を含む請求項１２に記載の方法。
【請求項１６】
前記ＰＣＰを前記右目偏光モードで動作させる段階は、右目アナライザによって解析可能な直線偏光された光へと、前記光を変換する段階を含む請求項１２に記載の方法。
【請求項１７】
前記遷移状態において、左目ビューと右目ビューとの間で遷移させる段階は更に、ＬＣ変調パネルアドレス指定期間及びＰＣＰ整定期間のうちの少なくとも１つと関連付けられた整定時間以上の長さの期間にわたって遷移させることを含む請求項１２に記載の方法。
【請求項１８】
前記表示状態において立体視画像を表示する段階は、２５％のデューティサイクルを有する請求項１２に記載の方法。
【請求項１９】
前記遷移状態において左目ビューと右目ビューとの間で遷移させる段階は、７５％のデューティサイクルを有する請求項１２に記載の方法。
【請求項２０】
前記ＰＣＰを前記右目偏光モードで動作させる段階は、前記ＬＣ変調パネルから入射する前記変調された光のＳＯＰを、前記ＰＣＰから出射される変調及び変調された光が左目アナライザによってブロックされるように、変換させることを含む請求項１２に記載の方法。
【請求項２１】
バックライト、液晶（ＬＣ）変調パネル及び偏光制御パネル（ＰＣＰ）を有し立体視画像を表示するフラットパネルディスプレイのコントローラであって、
バックライトにバックライト制御信号を供給し、前記ＬＣ変調パネルが左目画像モードと右目画像モードとの間で切り替わる時及び前記ＰＣＰが左目偏光モードと右目偏光モードとの間で遷移する時には、前記ＬＣ変調パネルに光を提供しないように前記バックライトを制御し、前記ＬＣ変調パネルが右目画像データを表示する整定したデータ線を過半数有する場合には前記右目画像モードとなり、前記ＬＣ変調パネルが左目画像データを表示する整定したデータ線を過半数有する場合には前記左目画像モードとなるバックライトインターフェースと、
前記ＬＣ変調パネルにＬＣ制御信号を供給し、前記ＬＣ変調パネルが前記バックライトから入射される光を変調し、前記左目画像モード及び前記右目画像モードのうちの一方で動作するように前記ＬＣ変調パネルを制御するＬＣインターフェースと、
前記ＰＣＰにＰＣＰ制御信号を供給し、前記ＬＣ変調パネルから入射される変調された前記光の偏光状態（ＳＯＰ）を、前記ＰＣＰが前記左目偏光モード及び前記右目偏光モードのうちの一方で選択的に変換するように前記ＰＣＰを制御するＰＣＰインターフェースとを備えるコントローラ。
【請求項２２】
立体視画像を表示するフラットパネルディスプレイであって、
光を選択的に供給するバックライトと、
前記バックライトから入射される光を受光する位置に配置され、前記バックライトから入射される前記光を変調する液晶（ＬＣ）変調パネルと、
前記ＬＣ変調パネルから入射される前記変調された光を受光する位置に配置され、前記バックライト及び前記ＬＣ変調パネルと同期して、前記ＬＣ変調パネルから入射される前記変調された光の偏光状態（ＳＯＰ）を選択的に変換する偏光制御パネル（ＰＣＰ）とを備え、
前記フラットパネルディスプレイは、
前記ＬＣ変調パネルが左目画像モードと右目画像モードとの間で切り替わる時、及び、前記ＰＣＰが左目偏光モードと右目偏光モードとの間で遷移する時に、前記バックライトが前記ＬＣ変調パネルに光を供給しない遷移状態で動作するように構成され、
前記ＬＣ変調パネルが右目画像データを表示する整定したデータ線を過半数有する場合には前記右目画像モードとなり、前記ＬＣ変調パネルが左目画像データを表示する整定したデータ線を過半数有する場合には前記左目画像モードとなるフラットパネルディスプレイ。
【請求項２３】
バックライト、液晶（ＬＣ）変調パネル及び偏光制御パネル（ＰＣＰ）を有するフラットパネルディスプレイに立体視画像を表示する方法であって、
前記ＬＣ変調パネルの画像コンテンツを、左目画像モードと右目画像モードとの間で切り替える段階であって、前記ＬＣ変調パネルが右目画像データを表示する整定したデータ線を過半数有する場合には前記右目画像モードとなり、前記ＬＣ変調パネルが左目画像データを表示する整定したデータ線を過半数有する場合には前記左目画像モードとなる段階と、
前記ＰＣＰを、左目偏光モードと右目偏光モードとの間で遷移させる段階と、
前記ＬＣ変調パネルの画像コンテンツが前記左目画像モードと前記右目画像モードとの間で切り替わり、かつ、前記ＰＣＰが前記左目偏光モードと前記右目偏光モードとの間で遷移する時には、前記バックライトから前記ＬＣ変調パネルに光を供給しない段階と
を備える方法。